(57)【特許請求の範囲】
【請求項１】
コンテンツデータを記憶する記憶手段と、
相手と通話する通話手段と、
前記記憶手段に記憶されている前記コンテンツデータを再生する再生手段と、
前記再生手段によるコンテンツの再生中に前記通話手段に通話の着信があった場合に、
前記再生手段による前記コンテンツの再生レベルを、予め設定された所定のレベルに低下して前記コンテンツの再生を継続することで、相手からの音声と、前記コンテンツの再生音の両方が聞こえるように制御する制御手段と、
前記記憶手段に記憶されているコンテンツデータのタイトルリストを通話の相手に送信し、コンテンツの転送を希望するタイトルが前記通話の相手から送信されてきたときに、転送を希望するタイトルを指定する操作が行われた場合、そのタイトルのコンテンツデータに課金処理を行う際に利用されるフラグを付加して、前記通話の相手にコンテンツデータを送信する制御を行う送信制御手段と
を備えることを特徴とする通話装置。
【請求項２】
前記通話手段は、前記コンテンツの再生音を、相手側にも送信する
ことを特徴とする請求項１に記載の通話装置。
【請求項３】
前記制御手段は、前記コンテンツの再生レベルを予め設定された所定のレベルに低下することで、相手からの音声と、前記コンテンツの再生音の両方が聞こえるように制御する
ことを特徴とする請求項１に記載の通話装置。
【請求項４】
前記制御手段は、前記通話が終了した場合、前記再生手段による前記コンテンツの再生レベルを、前記通話手段の着信前のレベルに戻すように制御する
ことを特徴とする請求項１に記載の通話装置。
【請求項５】
コンテンツデータを記憶する記憶ステップと、
相手と通話する通話ステップと、
前記記憶ステップの処理により記憶されている前記コンテンツデータを再生する再生ステップと、
前記コンテンツの再生中に通話の着信があった場合に、前記再生ステップの処理による前記コンテンツの再生レベルを、予め設定された所定のレベルに低下して前記コンテンツの再生を継続することで、相手からの音声と、前記コンテンツの再生音の両方が聞こえるように制御する制御ステップと、
前記記憶ステップにより記憶されているコンテンツデータのタイトルリストを通話の相手に送信し、コンテンツの転送を希望するタイトルが前記通話の相手から送信されてきたときに、転送を希望するタイトルを指定する操作が行われた場合、そのタイトルのコンテンツデータに課金処理を行う際に利用されるフラグを付加して、前記通話の相手にコンテンツデータを送信する制御を行う送信制御ステップと
を含むことを特徴とする通話方法。
【請求項６】
コンテンツデータを記憶する記憶ステップと、
相手と通話する通話ステップと、
前記記憶ステップの処理により記憶されている前記コンテンツデータを再生する再生ステップと、
前記コンテンツの再生中に通話の着信があった場合に、前記再生ステップの処理による前記コンテンツの再生レベルを、予め設定された所定のレベルに低下して前記コンテンツの再生を継続することで、相手からの音声と、前記コンテンツの再生音の両方が聞こえるように制御する制御ステップと、
前記記憶ステップにより記憶されているコンテンツデータのタイトルリストを通話の相手に送信し、コンテンツの転送を希望するタイトルが前記通話の相手から送信されてきたときに、転送を希望するタイトルを指定する操作が行われた場合、そのタイトルのコンテンツデータに課金処理を行う際に利用されるフラグを付加して、前記通話の相手にコンテンツデータを送信する制御を行う送信制御ステップと
を含むことを特徴とするコンピュータが読み取り可能なプログラムが記録されている記録媒体。
【請求項７】
コンテンツデータを記憶する記憶ステップと、
相手と通話する通話ステップと、
前記記憶ステップの処理により記憶されている前記コンテンツデータを再生する再生ステップと、
前記コンテンツの再生中に通話の着信があった場合に、前記再生ステップの処理による前記コンテンツの再生レベルを、予め設定された所定のレベルに低下して前記コンテンツの再生を継続することで、相手からの音声と、前記コンテンツの再生音の両方が聞こえるように制御する制御ステップと、
前記記憶ステップにより記憶されているコンテンツデータのタイトルリストを通話の相手に送信し、コンテンツの転送を希望するタイトルが前記通話の相手から送信されてきたときに、転送を希望するタイトルを指定する操作が行われた場合、そのタイトルのコンテンツデータに課金処理を行う際に利用されるフラグを付加して、前記通話の相手にコンテンツデータを送信する制御を行う送信制御ステップと
をコンピュータに実行させるプログラム。
【発明の詳細な説明】
【０００１】
【発明の属する技術分野】
本発明は、通話装置および方法、記録媒体、並びにプログラムに関し、特に、より楽しく通話を行うことができるようにした通話装置および方法、記録媒体、並びにプログラムに関する。
【０００２】
【従来の技術】
最近、携帯電話機が普及し、多くのユーザが、外出先から自由に通話を行うことができるようになってきた。
【０００３】
一方、携帯型のCDプレーヤやMD（ミニディスク）プレーヤが普及し、ユーザは、歩きながら音楽を楽しむことができるようになってきた。
【０００４】
しかしながら、これらの機器は、独立しているため、音楽を聴き、かつ、通話もできるようにするには、各ユーザは、携帯電話機とプレーヤとの両方を携帯しなければならなかった。
【０００５】
そこで、本出願人会社は、音楽データを記録したメモリカードを携帯電話機に装着可能とし、携帯電話機だけで、歩きながら音楽を楽しむことも、必要に応じて電話をすることも可能にする携帯電話機を販売している。
【０００６】
【発明が解決しようとする課題】
しかしながら、上記したメモリカード付きの携帯電話機は、例えば、音楽を再生中に電話がかかってきた場合、音楽の再生を中止し、相手側の音声だけを再生するようにした。その結果、その間音楽が途切れてしまい、より楽しい通話を行うことができない課題があった。
【０００７】
本発明は、このような状況に鑑みてなされたものであり、音楽を聴きながら通話を行うことができるようにし、より楽しく通話を楽しむことができるようにするものである。
【０００８】
【課題を解決するための手段】
本発明の通話装置は、コンテンツデータを記憶する記憶手段と、相手と通話する通話手段と、記憶手段に記憶されているコンテンツデータを再生する再生手段と、再生手段によるコンテンツの再生中に通話手段に通話の着信があった場合に、再生手段によるコンテンツの再生レベルを、予め設定された所定のレベルに低下してコンテンツの再生を継続することで、相手からの音声と、コンテンツの再生音の両方が聞こえるように制御する制御手段と、記憶手段に記憶されているコンテンツデータのタイトルリストを通話の相手に送信し、コンテンツの転送を希望するタイトルが通話の相手から送信されてきたときに、転送を希望するタイトルを指定する操作が行われた場合、そのタイトルのコンテンツデータに課金処理を行う際に利用されるフラグを付加して、通話の相手にコンテンツデータを送信する制御を行う送信制御手段とを備えることを特徴とする。
【０００９】
前記通話手段は、コンテンツの再生音を、相手側にも送信することができる。
前記制御手段は、前記通話が終了した場合、前記再生手段による前記コンテンツの再生レベルを、前記通話手段の着信前のレベルに戻すように制御することができる。
【００１０】
本発明の通話方法は、コンテンツデータを記憶する記憶ステップと、相手と通話する通話ステップと、記憶ステップの処理により記憶されているコンテンツデータを再生する再生ステップと、コンテンツの再生中に通話の着信があった場合に、再生ステップの処理によるコンテンツの再生レベルを、予め設定された所定のレベルに低下してコンテンツの再生を継続することで、相手からの音声と、コンテンツの再生音の両方が聞こえるように制御する制御ステップと、記憶ステップにより記憶されているコンテンツデータのタイトルリストを通話の相手に送信し、コンテンツの転送を希望するタイトルが通話の相手から送信されてきたときに、転送を希望するタイトルを指定する操作が行われた場合、そのタイトルのコンテンツデータに課金処理を行う際に利用されるフラグを付加して、通話の相手にコンテンツデータを送信する制御を行う送信制御ステップとを含むことを特徴とする。
【００１１】
本発明の記録媒体のプログラムは、コンテンツデータを記憶する記憶ステップと、相手と通話する通話ステップと、記憶ステップの処理により記憶されているコンテンツデータを再生する再生ステップと、コンテンツの再生中に通話の着信があった場合に、再生ステップの処理によるコンテンツの再生レベルを、予め設定された所定のレベルに低下してコンテンツの再生を継続することで、相手からの音声と、コンテンツの再生音の両方が聞こえるように制御する制御ステップと、記憶ステップにより記憶されているコンテンツデータのタイトルリストを通話の相手に送信し、コンテンツの転送を希望するタイトルが通話の相手から送信されてきたときに、転送を希望するタイトルを指定する操作が行われた場合、そのタイトルのコンテンツデータに課金処理を行う際に利用されるフラグを付加して、通話の相手にコンテンツデータを送信する制御を行う送信制御ステップとを含むことを特徴とする。
【００１２】
本発明のプログラムは、コンテンツデータを記憶する記憶ステップと、相手と通話する通話ステップと、記憶ステップの処理により記憶されているコンテンツデータを再生する再生ステップと、コンテンツの再生中に通話の着信があった場合に、再生ステップの処理によるコンテンツの再生レベルを、予め設定された所定のレベルに低下してコンテンツの再生を継続することで、相手からの音声と、コンテンツの再生音の両方が聞こえるように制御する制御ステップと、記憶ステップにより記憶されているコンテンツデータのタイトルリストを通話の相手に記憶ステップにより記憶されているコンテンツデータのタイトルリストを通話の相手に送信し、コンテンツの転送を希望するタイトルが通話の相手から送信されてきたときに、転送を希望するタイトルを指定する操作が行われた場合、そのタイトルのコンテンツデータに課金処理を行う際に利用されるフラグを付加して、通話の相手にコンテンツデータを送信する制御を行う送信制御ステップとをコンピュータに実行させる。
【００１７】
本発明の通話装置および方法、記録媒体、並びにプログラムにおいては、コンテンツの再生中に通話の着信があった場合に、コンテンツの再生レベルが予め設定された所定のレベルに低下されて、コンテンツの再生が継続されることで、相手からの音声とコンテンツの再生音の両方が聞こえるように制御される。さらに、記憶されているコンテンツデータのタイトルリストが通話の相手に送信され、コンテンツの転送を希望するタイトルが通話の相手から送信されてきたときに、転送を希望するタイトルを指定する操作が行われた場合、そのタイトルのコンテンツデータに課金処理を行う際に利用されるフラグが付加されて、通話の相手にコンテンツデータが送信される。
【００１９】
【発明の実施の形態】
図１は、本発明を適用したネットワークシステムの構成を表している。この構成例においては、電話機一体型端末機５０１−１と電話機一体型端末機５０１−２が、通信ネットワーク１０１を介して相互に接続されている。また、通信ネットワーク１０１には、通信制御装置１０２が接続されており、各電話機一体型端末機５０１−１と電話機一体型端末機５０１−２の通話を制御するようなされている。
【００２０】
図２は、図１の電話機一体型端末機５０１（以下、電話機一体型端末機５０１−１，５０１−２を個々に区別する必要がない場合、単に、電話機一体型端末機５０１と称する）の外観構成を表している。図２に示すように電話機一体型端末機５０１は、表示部３０１および本体３０２で構成され、中央のヒンジ部３０３により折り畳み可能に形成されている。
【００２１】
表示部３０１は、上端左部に引出しまたは収納可能な送受信用のアンテナ３０４を有する。電話機一体型端末機５０１は、アンテナ３０４を介して、固定無線局である基地局との間で電波を送受信し、通信ネットワーク１０１に接続されている他の電話機と通信する。
【００２２】
また、表示部３０１は、上端中央部にほぼ１８０度の角度範囲で回動自在なカメラ部３０５を有する。電話機一体型端末機５０１は、カメラ部３０５のCCD（Charge-Coupled Device）カメラ３０６によって所望の撮像対象を撮像する。
【００２３】
カメラ部３０５が使用者によってほぼ１８０度回動されて位置決めされた場合、図３に示すように、表示部３０１は、カメラ部３０５の背面側中央に設けられたスピーカ３０７が正面側に位置する状態となる。これにより、電話機一体型端末機５０１は、通常の音声通話状態に切り換わる。
【００２４】
さらに、表示部３０１の正面に液晶ディスプレイ３０８が設けられている。液晶ディスプレイ３０８は、電波の受信状態、電池残量、電話帳として登録されている相手先名や電話番号および発信履歴等の他、電子メールの内容、簡易ホームページ、カメラ部３０５のCCDカメラ３０６で撮像した画像、または経路を示す地図の画像等を表示する。
【００２５】
一方、本体３０２には、その表面に「０」乃至「９」の数字キー、発呼キー、リダイヤルキー、クリアキー及び電子メールキー等の操作キー３０９が設けられている。操作キー３０９の一部を構成する電源ボタン３２０は、電源をオン、オフするとき、または通話を終了させるとき操作される。操作キー３０９の操作に対応した各種指示が、電話機一体型端末機５０１に入力される。
【００２６】
また、本体３０２の操作キー３０９の下部にメモボタン３１０およびマイクロフォン３１１が設けられている。電話機一体型端末機５０１は、メモボタン３１０が操作されたとき、通話中の相手の音声を録音する。電話機一体型端末機５０１は、マイクロフォン３１１によって通話時の使用者の音声を集音する。
【００２７】
さらに、本体３０２の操作キー３０９の上部に回動自在なジョグダイヤル３１２が、本体３０２の表面から僅かに突出した状態で設けられている。電話機一体型端末機５０１は、ジョグダイヤル３１２に対する回動操作に応じて、液晶ディスプレイ３０８に表示されている電話帳リスト若しくは電子メールのスクロール動作、簡易ホームページのページ捲り動作、または画像の送り動作等の種々の動作を実行する。
【００２８】
例えば、本体３０２は、使用者によるジョグダイヤル３１２の回動操作に応じて液晶ディスプレイ３０８に表示された電話帳リストの複数の電話番号の中から所望の電話番号を選択し、ジョグダイヤル３１２が本体３０２の内部方向に押圧されたとき、選択されている電話番号を確定して、確定した電話番号に対して自動的に発呼処理を行う。
【００２９】
なお、本体３０２は、背面側に図示しないバッテリパックが装着されており、電源ボタン３２０がオン状態になると、バッテリパックから各回路部に対して電力が供給されて動作可能な状態に起動する。
【００３０】
本体３０２の左側面上部には、抜差自在なメモリカード２を装着するためのメモリカードスロット３１３が設けられている。電話機一体型端末機５０１は、音楽データが記憶されているメモリカード２がメモリカードスロット３１３に装着されたとき、メモリカード２から音楽データを読み出して（再生して）、スピーカ３０７または、図示せぬイヤホンから出力させる。
【００３１】
電話機一体型端末機５０１は、メモボタン３１０が押下されると、通話中の相手の音声を装着されているメモリカード２に記録する。電話機一体型端末機５０１は、使用者の操作に応じて、電子メール、簡易ホームページ、CCDカメラ３０６で撮像した画像を、装着されているメモリカード２に記録する。
【００３２】
メモリカード２は、例えば、本願出願人であるソニー株式会社によって開発されたフラッシュメモリカードの一種である、メモリースティック（商標）により構成される。このメモリカード２は、縦21.5×横50×厚さ2.8[mm]の小型薄型形状のプラスチックケース内に、電気的に書換えや消去が可能な不揮発性メモリであるEEPROM（Electrically Erasable and Programmable Read Only Memory ）の一種であるフラッシュメモリ素子を格納したものであり、１０ピン端子を介して画像や音声、音楽等の各種データの書き込み及び読み出しが可能となっている。
【００３３】
またメモリカード２は、大容量化等による内蔵フラッシュメモリの仕様変更に対しても、使用する機器で互換性を確保することができる独自のシリアルプロトコルを採用し、最大書込速度1.5[MB/S] 、最大読出速度2.45[MB/S]の高速性能を実現していると共に、誤消去防止スイッチを設けて高い信頼性を確保している。
【００３４】
従って、電話機一体型端末機５０１は、このようなメモリカード２を装着可能に構成されているために、メモリカード２を介して、例えば、パーソナルコンピュータ等の他の電子機器との間でデータの共有化を図ることができる。
【００３５】
図４は、電話機一体型端末機５０１の内部の構成を説明する図である。CPU（Central  Processing Unit）６０１は、ROM（Read-only Memory）６０２またはRAM（Random-Access Memory）６０３に格納されている各種プログラムを実際に実行する。ROM６０２は、EEPROM（Electrically Erasable Programmable Read-Only Memory）またはフラッシュメモリ等で構成され、一般的には、CPU６０１が使用するプログラムや演算用のパラメータのうちの基本的に固定のデータを格納する。RAM６０３は、SRAM（Static RAM）等で構成され、CPU６０１の実行において使用するプログラムや、その実行において適宜変化するパラメータを格納する。
【００３６】
入力部６０５は、操作キー３０９やマイクロフォン３１１等で構成され、CPU６０１に各種の指令を入力するとき、または音声等を入力するとき、使用者により操作される。液晶ディスプレイ３０８は、各種情報をテキストやイメージで表示する。
【００３７】
音声再生部６０７は、スピーカ３０７およびイヤホンを含み、通信部６０８から供給された通話相手の音声のデータ、またはインターフェース６０９から供給されたメモリカード２に記憶されているコンテンツを再生して、音声を出力する。
【００３８】
通信部６０８は、通信ネットワーク１０１と接続し、CPU６０１から供給されたデータ（例えば、音楽等のコンテンツデータ）または入力部６０５から供給された使用者の音声のデータを、所定の方式のパケットに格納して、通信ネットワーク１０１を介して、送信する。また、通信部６０８は、通信ネットワーク１０１を介して、受信したパケットに格納されているデータ（例えば、コンテンツデータ等）または通話相手の音声のデータをCPU６０１、RAM６０３、音声再生部６０７、またはインターフェース６０９に出力する。
【００３９】
インターフェース６０９は、CPU６０１、RAM６０３、または通信部６０８から供給されたデータを装着されているメモリカード２に記憶させるとともに、装着されているメモリカード２からコンテンツ等のデータを読み出して、CPU６０１、RAM６０３、または音声再生部６０７に供給する。
【００４０】
インターフェース６１０は、外付けのドライブ６３１が接続される。ドライブ６３１は、装着されている磁気ディスク６４１、光ディスク６４２（CD-ROMを含む）、光磁気ディスク６４３、または半導体メモリ６４４に記録されているデータまたはプログラムを読み出して、そのデータまたはプログラムを、インターフェース６１０、およびバス６０４を介して接続されているROM６０２またはRAM６０３に供給する。
【００４１】
CPU６０１乃至インターフェース６１０は、バス６０４により相互に接続されている。
【００４２】
図５は、通信制御装置１０２の構成を表している。図５において、CPU（Central  Processing  Unit）２１は、ROM（Read  Only  Memory）２２に記憶されているプログラム、または記憶部２８からRAM（Random  Access  Memory）２３にロードされたプログラムに従って各種の処理を実行する。RAM２３にはまた、CPU２１が各種の処理を実行する上において必要なデータなども適宜記憶される。
【００４３】
CPU２１、ROM２２、およびRAM２３は、バス２４を介して相互に接続されている。このバス２４にはまた、入出力インタフェース２５も接続されている。
【００４４】
入出力インタフェース２５には、キーボード、マウスなどよりなる入力部２６、CRT、LCDなどよりなるディスプレイ、並びにスピーカなどよりなる出力部２７、ハードディスクなどより構成される記憶部２８、モデム、ターミナルアダプタなどより構成される通信部２９が接続されている。通信部２９は、電話機一体型端末機５０１−１と電話機一体型端末機５０１−２の間の通信ネットワーク１０１を介しての通信の制御処理を行う。
【００４５】
入出力インターフェース２５にはまた、必要に応じてドライブ３０が接続され、磁気ディスク４１、光ディスク４２、光磁気ディスク４３、或いは半導体メモリ４４などが適宜装着され、それらから読み出されたコンピュータプログラムが、必要に応じて記憶部２８にインストールされる。
【００４６】
電話機一体型端末機５０１−１は、相手側と通話ができるだけではなく、通話中に、BGMとして音楽も再生可能とされる。図６を参照して、この場合の処理について説明する。
【００４７】
最初に、ステップＳ１において、電話機一体型端末機５０１−１のCPU６０１は、入力部６０５からの操作に対応して、メモリカード２に記録されている音楽データを、インターフェース６０９を介して読み出し、音声再生部６０７を構成するイヤホン（図示せず）に出力する。従って、ユーザは、歩きながらこの音楽を楽しむことができる。
【００４８】
次に、ステップＳ２において、CPU６０１は、相手側から着信したか否かを判定し、着信していない場合には、ステップＳ３に進み、いま、再生している曲の変更が指示されたか否かを判定する。曲の変更が指示されていない場合には、ステップＳ１に戻り、それ以降の処理が繰り返し実行される。
【００４９】
ステップＳ３において、曲の変更が指示されたと判定された場合、すなわち、CPU６０１は、入力部６０５を操作することで、ユーザが、いま再生している曲の変更を指令したとき、ステップＳ４に進み、インターフェース６０９を介してメモリカード２を制御し、指定された曲を再生させる。その後、ステップＳ１に戻り、それ以降の処理が繰り返し実行される。
【００５０】
なお、このステップＳ４の処理には、まだ音楽が再生されていない状態で初めて再生が指示された場合の処理が含まれる。
【００５１】
ステップＳ２において、着信したと判定された場合、ステップＳ５に進み、CPU６０１は、イヤホンから再生出力される音楽の再生レベルを、予め設定されている所定のレベルに低下させる。但し、そのレベルは、０ではない（従って、ユーザは、通話しつつ、音楽をBGMとして楽しむことが可能となる（相手の音声と音楽の両方を、同時に聞くことが可能となる））。
【００５２】
次に、ステップＳ６に進み、CPU６０１は、相手側からの着信に対して応答する処理を実行する。具体的には、CPU６０１は、通信部６０８を制御し、通信ネットワーク１０１を介しての相手側からの呼び出しに応答させる。
【００５３】
ステップＳ７において、CPU６０１は、通話処理を実行する。すなわち、このとき、入力部６０５を構成するマイクロフォン３１１から集音された音声信号が、通信部６０８から通信ネットワーク４を介して、相手側の電話機一体型端末機５０１に送信される。また、相手側の電話機一体型端末機５０１から送信されてきた音声データが、通信部６０８を介して取り込まれると、これが音声再生部６０７を構成するスピーカ３０７またはイヤホンから出力される。従って、ユーザは、相手と通話を行うことができる。上述したように、このとき、ユーザは、相手の音声と音楽を同時に聞くことができる。
【００５４】
次に、ステップＳ８に進み、CPU６０１は、通話の終了が指令されたか否かを判定し、指令されていない場合には、ステップＳ９に進み、曲の変更が指示されたか否かを判定する。曲の変更が指示されていなければ、ステップＳ７に戻り、それ以降の処理が繰り返し実行される。
【００５５】
ステップＳ９において、曲の変更が指示されたと判定された場合、ステップＳ１０に進み、曲を変更する処理が実行され、その後、ステップＳ７に戻り、それ以降の処理が繰り返し実行される。
【００５６】
すなわち、このステップＳ９とステップＳ１０の処理は、ステップＳ３とステップＳ４の処理と同様の処理である。従って、ユーザは、通話中においても、必要に応じて、メモリカード２から再生している曲を変更することができる。
【００５７】
ステップＳ８において、通話の終了が指令されたと判定された場合、ステップＳ１１に進み、CPU６０１は、音声再生部６０７を制御し、いま再生している音楽の再生レベルを、元のレベルに戻す処理を実行する。その後、ステップＳ２に戻り、それ以降の処理が繰り返し実行される。
【００５８】
このように、通話中、本願がBGMとして再生されるため、ユーザは、より楽しく通話を楽しむことが可能となる。
【００５９】
また、ステップＳ７の通話処理においては、CPU６０１は、ユーザからその旨が入力部６０５を操作することで、指令されている場合には、マイクロフォン３１１により使用された音声信号に、メモリカード２より再生された音声信号を重畳して、相手側に送信させることができる。このようにした場合、相手側に音楽が送信されるため、例えば、そのユーザが、喫茶店などで電話をかけている印象を相手側に与えることができる。
【００６０】
さらに、本発明の電話機一体型端末機５０１においては、通話中にメモリカード２に記録されている音楽データを、相手側に送信し、コピーさせることができる。次に、図７のフローチャートを参照して、この場合の処理について説明する。この処理は、通話中に実行される。
【００６１】
最初に、ステップＳ２１において、CPU６０１は、相手側との通話を開始する処理を実行する。ステップＳ２２において、CPU６０１は、いま装着されているメモリカード２に記録されている曲のタイトルを読み出し、相手側に送信させる。
【００６２】
相手側の電話機一体型端末機５０１においては、曲のタイトルが液晶ディスプレイ３０８に表示される。そして、その相手側のユーザは、必要に応じて、転送を希望する音楽のタイトルを指定する。この指定が行われると、指定された曲が相手側から通知されてくる。この処理は、自分自身側においても実行されるので、ステップＳ２５乃至ステップＳ２９の処理として、その詳細は以下に説明される。
【００６３】
ステップＳ２３において、CPU６０１は、相手側から転送を希望するタイトルが通知されてきたか否かを判定し、通知されてきたと判定した場合、ステップＳ２４に進み、通知されてきたタイトルの曲のデータをメモリカード２から読み出し、相手側に送信する。このとき、CPU６０１は、いま再生中の音楽のデータを送信していることを表すフラグをコンテンツデータに付加させる。このフラグが後述するように、通信制御装置１０２により認知され（後述する図１１のステップＳ５２）、これに基づいて課金処理が行われる。
【００６４】
ステップＳ２３において、転送を希望する音楽のタイトルが相手側から通知されてきていないと判定された場合、ステップＳ２４の処理はスキップされる。
【００６５】
次に、ステップＳ２５において、CPU６０１は、相手側からメモリカード２に記録されている曲のタイトルが送信されてきたか否かを判定する。相手側から曲のタイトルが送信されてきた場合には、ステップＳ２６に進み、CPU６０１は、送信されてきた曲のタイトルを、液晶ディスプレイ３０８に出力し、表示させる。ユーザは、これを見て、入力部６０５を操作することで、転送を希望する場合、そのタイトルを指定する。
【００６６】
そこで、ステップＳ２７において、CPU６０１は、転送を希望するタイトルがユーザにより指定されたか否かを判定し、指定された場合には、ステップＳ２８に進み、指定された曲を相手側に通知する。
【００６７】
この通知が行われると、上述したように、相手側の電話機一体型端末機５０１が、ステップＳ２４の処理で曲のデータを送信してくる。
【００６８】
そこで、ステップＳ２９において、電話機一体型端末機５０１のCPU６０１は、相手側から送信されてきた曲のデータを受信し、インターフェース６０９を介してメモリカード２に記録させる。
【００６９】
このように、相手側の電話機一体型端末機５０１が保持している音楽データが転送され、記録されると、その音楽データをコピーしたことに対する対価が、自分自信の通話料に重畳して請求されることになる（後述する図１１のステップＳ５３）。
【００７０】
ステップＳ２５において、相手側からメモリカード２に記録されている曲のタイトルが送信されてこないと判定された場合、およびステップＳ２７において、転送を希望するタイトルが指定されていないと判定された場合、ステップＳ３０に進み、通話の終了が処理されたか否かが判定される。
【００７１】
ステップＳ３０において、CPU６０１は、通話の終了が指令されたか否かを判定し、指令されていない場合には、指令されるまで待機し、指令されたと判定された場合、ステップＳ３１に進み、通話を終了させる。
【００７２】
以上のようにして、例えば、図８に示されるように、電話機一体型端末機５０１−１のユーザＡが、タイトルＡ１，Ａ２，Ａ３を、装着されているメモリカード２に記録しており、電話機一体型端末機５０１−２のユーザＢが、図９に示されるように、装着されているメモリカード２に、タイトルＢ１，Ｂ２，Ｂ３を記録している場合、お互いに自分自身が有していない音楽タイトルを、すべて転送を希望したとすると、各ユーザのメモリカード２には、図１０に示されるように、タイトルＡ１，Ａ２，Ａ３，Ｂ１，Ｂ２，Ｂ３が記録されることになる。
【００７３】
図１１は、このようにして、通話中に音楽データのコピーが行われた場合における通信制御装置１０２の処理を表している。
【００７４】
通信制御装置１０２のCPU２１は、ステップＳ５１において、送信されてきたパケットを相手側に転送する処理を実行する。ステップＳ５２において、いま転送されてきたパケットに、コピーフラグが含まれているか否か（図７のステップＳ２４において、挿入されたフラグが含まれているか否か）が判定される。コピーフラグが含まれている場合には、ステップＳ５３に進み、CPU２１は、そのパケットの転送先（または転送元でもよい）のユーザに対する課金処理を実行する。この課金は、その後、ユーザの通話料に加算することで行われる。
【００７５】
ステップＳ５２において、コピーフラグがパケットに含まれていないと判定された場合、ステップＳ５３の課金処理はスキップされる。
【００７６】
次に、ステップＳ５４において、CPU２１は、通話が終了したか否かを判定し、終了していない場合には、ステップＳ５１に戻り、それ以降の処理を繰り返し実行する。通話が終了したと判定された場合、処理は終了される。
【００７７】
以上においては、電話機一体型端末機５０１を例としたが、本発明は、電話機一体型端末機５０１に限らず、携帯電話機、ＰＤＡ（Personal Digital Assistant）、通信機能付き撮像機能付きデジタルビデオカセットレコーダ、通信機能付き電子手帳装置、または通信機能付き携帯型パーソナルコンピュータ等に適用することもできる。
【００７８】
また、コンテンツは、音楽のデータであると説明したが、音楽のデータに限られるものではない。
【００７９】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータ等に、プログラム格納媒体からインストールされる。
【００８０】
コンピュータにインストールされ、コンピュータによって実行可能な状態とされるプログラムを格納するプログラム格納媒体は、図４と図５に示されるように、磁気ディスク６４１，４１（フロッピディスクを含む）、光ディスク６４２，４２（CD-ROM(Compact Disc-Read Only Memory)、ＤＶＤ(Digital Versatile Disc)を含む）、光磁気ディスク６４３，４３（いずれもＭＤ(Mini-Disc)を含む）、若しくは半導体メモリ６４４，４４等よりなるパッケージメディア、または、プログラムが一時的若しくは永続的に格納されるROM６０２，２２等により構成される。プログラム格納媒体へのプログラムの格納は、必要に応じて通信部６０８，２９を介して、ローカルエリアネットワーク、インターネット、デジタル衛星放送といった、有線または無線の通信媒体を利用して行われる。
【００８１】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【００８２】
また、本明細書において、システムとは、複数の装置により構成される装置全体を表すものである。
【００８３】
【発明の効果】
以上の如く、本発明の通話装置および方法、記録媒体、並びにプログラムによれば、より楽しく通話を行うことが可能となる。従って、長時間通話をしたとしても、飽きてしまうようなことが抑制される。
【図面の簡単な説明】
【図１】本発明を適用したネットワークシステムの構成を示すブロック図である。
【図２】図１の電話機一体型端末機の外観の構成を示す斜視図である。
【図３】図２の電話機一体型端末機の背部の一部の構成を示す斜視図である。
【図４】図２の電話機一体型端末機の内部の構成を示すブロック図である。
【図５】図１の通信制御装置の構成を示すブロック図である。
【図６】図１の電話機一体型端末機のBGM再生処理を説明するフローチャートである。
【図７】図１の電話機一体型端末機の音楽共有処理を説明するフローチャートである。
【図８】タイトルの表示例を示す図である。
【図９】タイトルの表示例を示す図である。
【図１０】タイトルの表示例を示す図である。
【図１１】図１の通信制御装置の課金処理を説明するフローチャートである。
【符号の説明】
５０１  電話機一体型端末機，  ６０１  ＣＰＵ，  ６０２  ＲＯＭ，  ６０３  ＲＡＭ，  ６０８  通信部，  ６５１  ＣＰＵ，  ６５２  ＲＯＭ，  ６５３  ＲＡＭ，  ６６３  通信部
【図１】
0004507450.tif 000002
【図２】
0004507450.tif 000003
【図３】
0004507450.tif 000004
【図４】
0004507450.tif 000005
【図５】
0004507450.tif 000006
【図６】
0004507450.tif 000007
【図７】
0004507450.tif 000008
【図８】
0004507450.tif 000009
【図９】
0004507450.tif 000010
【図１０】
0004507450.tif 000011
【図１１】
0004507450.tif 000012